(57)【要約】【課題】運賃改定が行われても集計処理を通常どおりにできるようにする。【解決手段】自動券売機等の駅務機器において所定の処理を行ったときのその処理の内容をその処理を行った日付とともにその駅務機器のメモリに記憶させる記憶手段と、前記駅務機器のメモリに記憶された内容を必要に応じて取込み、その取込んだ内容を処理を行った日付を基に集計処理する集計手段とからなる。【選択図】      図２
2005031727.tif 000002
【特許請求の範囲】
【請求項１】
駅務機器において所定の処理を行ったときのその処理の内容をその処理を行った日付とともにその駅務機器のメモリに記憶させる記憶手段と、
前記駅務機器のメモリに記憶された内容を必要に応じて取込み、その取込んだ内容を処理を行った日付を基に集計処理する集計手段と、
からなることを特徴とする集計処理装置。
【請求項２】
請求項１に記載の集計処理装置において、駅務機器は自動券売機であり、処理内容はその自動券売機の口座釦が操作されたときの所定の発券処理であることを特徴とする集計処理装置。
【請求項３】
請求項１に記載の集計処理装置において、駅務機器は自動精算機であり、処理内容はその自動精算機に投入された精算原券を基にした所定の精算処理であることを特徴とする集計処理装置。
【請求項４】
請求項１に記載の集計処理装置において、駅務機器は自動定期券発売機であり、処理内容はその自動定期券発売機からの定期券の所定の発券処理であることを特徴とする集計処理装置。
【請求項５】
請求項１に記載の集計処理装置において、駅務機器は自動改札機であり、処理内容はその自動改札機におけるＳＦカードの所定の減額処理であることを特徴とする集計処理装置。
【発明の詳細な説明】
【０００１】
【発明の属する技術分野】
本発明は、自動券売機、自動精算機又は自動改札機等の駅務機器の集計処理装置に係り、特に、運賃改定に容易に対処できるようにしたものに関する。
【０００２】
【従来の技術】
従来、自動券売機、自動精算機又は自動改札機等の駅務機器の売上の集計処理や通過人数の集計処理は、駅務機器の上位装置に当たる駅務機器制御装置、いわゆる駅制と呼ばれる集計装置において行われるように構成されている（特許文献１参照。）。
【０００３】
【特許文献１】特開２００３−３６４５２号公報
【０００４】
【発明が解決しようとする課題】
しかしながら、上記従来の集計処理装置は、通常、日中の所定時刻、例えば、正午、あるいは午後３時等の所定の昼間に行われるので何ら問題を生じないが、運賃改定、いわゆる運改が行われるときは、運改前と運改後の集計処理に混乱を来さないように、運改前日の最終列車の出発後に運改前日の集計処理を行って、次の日から始まる新たな運改に備えなければならず、したがって、運改前日の集計処理は、深夜作業にならざるを得なかった。
【０００５】
駅務機器が自動券売機の例を図４を用いてさらに説明すると、運改前が世代Ａの運賃テーブル（自動券売機の制御器に組込まれている乗車券を発行する際に用いられる運賃データの記憶されているメモリ）において、口座釦１の運賃（発行される乗車券の発売金額）が１４０円、口座釦２の運賃が１６０円、口座釦３の運賃が１８０円…であり、運改後の世代Ｂの運賃テーブルにおいて、口座釦１の運賃が１５０円、口座釦２の運賃が１６０円、口座釦３の運賃が１９０円…に変更になったとする。この場合、集計処理は、口座釦１の売上がｎ１  枚、口座釦２の売上がｎ２  枚、口座釦３の売上がｎ３  枚…のように集計処理されるので、運改前と運改後とが一緒に集計処理されると、発売した口座の口座情報と回収した現金の金額の現金回収情報とが整合しなくなってしまう。そこで、このような混乱を防止するために、運改が行われるときは、運改前日の最終電車の終了をもって集計処理を行い、次の日に備えるという作業を必要としていた。
【０００６】
そこで、本発明は、上記欠点を解決するためになされたものであって、その目的は、運改が行われても、通常どおりに集計処理を行うことのできる集計処理装置を提供することにある。
【０００７】
【課題を解決するための手段】
本発明に係る集計処理装置は、上記目的を達成するために、請求項１に記載の発明は、駅務機器において所定の処理を行ったときのその処理の内容をその処理を行った日付とともにその駅務機器のメモリに記憶させる記憶手段と、前記駅務機器のメモリに記憶された内容を必要に応じて取込み、その取込んだ内容を処理を行った日付を基に集計処理する集計手段と、からなることを特徴としている。
本発明の請求項２に記載の集計処理装置は、駅務機器は自動券売機であり、処理内容はその自動券売機の口座釦が操作されたときの所定の発券処理であることを特徴としている。
本発明の請求項３に記載の集計処理装置は、駅務機器は自動精算機であり、処理内容はその自動精算機に投入された精算原券を基にした所定の精算処理であることを特徴としている。
本発明の請求項４に記載の集計処理装置は、駅務機器は自動定期券発売機であり、処理内容はその自動定期券発売機からの定期券の所定の発券処理であることを特徴としている。
本発明の請求項５に記載の集計処理装置は、駅務機器は自動改札機であり、処理内容はその自動改札機におけるＳＦカードの所定の減額処理であることを特徴としている。
【０００８】
【発明の実施の形態】
以下、本発明の実施の形態を図面に基づいて説明する。図１は、一実施の形態に係る集計処理装置の概略構成図である。図１中、ａは自動券売機、ｂは自動精算機、及びＧは自動改札機であって、通信回線Ｌを介して駅制からなる集計機１に接続されている。なお、これら自動券売機ａ等は、本発明の駅務機器に相当している。また、駅務機器としては、自動定期券発売機やカード発行機等も存在するが、ここでは省略されている。
【０００９】
上記自動券売機ａは、周知の自動券売機と同様に、接客面に設けられている口座釦群のうちの一つの口座釦が選択されて押下され、かつ、その口座釦に対応した金額を満たす金銭（プリペイドカード等のカード類で支払う場合も含む。）が投入されると、その口座釦に対応した乗車券が発行されるように構成されている。
【００１０】
上記自動精算機ｂは、周知の自動精算機と同様に、乗越しに係る乗車券（磁気券からなる普通乗車券や定期券、あるいはＳＦカード等の精算原券。なお、この精算原券には、無線通信機能を備えたＩＣカードからなる非接触券も含む。）が自動精算機ｂに投入されるとその精算原券を基に精算料金（不足料金）が算出される。そして、その算出された精算料金を満たす金額の金銭が自動精算機ｂに投入されると、精算券が発行されるように構成されている。なお、本発明の自動精算機ｂには、乗継ぎ精算券を発行する乗継精算機も含まれている。
【００１１】
上記自動改札機Ｇは、周知の自動改札機と同様に、改札口の係員コーナに設けられている監視盤２を介して集計機１に接続されている。そして、自動改札機Ｇは、その自動改札機Ｇに乗車券が投入され、又は非接触券がアンテナにタッチ、あるいはかざされると、所定の入出場（入場又は出場を意味している。）の処理を行うことができるように構成されているとともに、投入されたＳＦ（ストアードフェア）カード又は非接触券の中のＳＦデータから所定の金額を減額処理して入出場を行うように構成されている。
【００１２】
上記集計機１は、周知の集計機と同様に、駅係員室に設置されていて、マイクロコンピュータを中心に構成されている。すなわち、この集計機１は、各駅務機器（ａ，ｂ，Ｇ）側と通信を行うための通信制御部１０と、集計機１を統括的に制御する中央処理部（ＣＰＵ）１１と、キーボードやマウス等からなる操作部１２と、集計機１を駆動制御するシステムプログラムデータや本発明の集計処理に必要なデータを記憶することのできるメモリＭとを有している。なお、集計機１には、表示画面も設けられているが、ここでは省略されているとともに、集計結果を印字するプリンタも接続されているが、ここでは省略されている。また、集計結果を鉄道会社の本社等の所定の中央に設けられている中央装置（ホストコンピュータ）に送出できるように運用されているときは、この集計機１には、その中央装置と通信を行うための通信制御部も設けられる。さらに、この中央装置においては、各駅の集計処理を行うようにすることもできる。したがって、本発明に係る集計手段は、中央装置で集計処理する場合も含んでいる。
【００１３】
以下、駅務機器を自動券売機ａとしたときの集計制御動作を図２のメモリマップ及び図３（ａ），（ｂ）のフローチャートを用いて説明する。図２の左側に示されるメモリマップは、自動券売機ａのメモリ（図１では省略）の内容が示されていて、ここには、運改前の運賃データの記憶されているテーブルＡと、運改後の運賃データの記憶されているテーブルＢとが予め記憶されているとともに、乗車券を発売する毎にその発売の内容（口座釦の番号）を発行日付データを付加して記憶し、また、自動券売機ａの図示しない金庫から現金が外部へ回収されたときのその回収金額及び回収日時のデータを記憶できるように構成されている。
【００１４】
図２の右側に示されるメモリマップは、集計機１のメモリＭを形成するディスクアレイの一部を示している。このメモリＭは、自動券売機ａのメモリの内容をそのまま取込めるように構成されている。また、この集計機１には、自動券売機ａと同様に、運改前の運賃データの記憶されているテーブルＡと、運改後の運賃データの記憶されているテーブルＢとが予め記憶されている。
【００１５】
図３（ａ）のフローチャートは、自動券売機ａ側の制御動作を示している。すなわち、自動券売機ａの所定の口座釦が押下され、かつ、その口座釦に対応した金銭が自動券売機ａに投入されて発券処理が行われると、その発券処理に伴う発売データがその口座釦の番号に日付データを付加した形でメモリに記憶される（ステップ１００肯定、ステップ１０２。以下、ステップを「Ｓ」とする。）。このように、発売データが口座釦に係るデータに日付が付加されて記憶されるので、その口座釦が操作されたときの運賃の算出に使用されたテーブルが運改前のテーブルＡか又は運改後のテーブルＢかを容易に特定することができる。
【００１６】
自動券売機ａの金庫が満杯になり、あるいは所定の回収時刻の到来（通常、回収時刻の到来は、後述する集計機１の集計時にも到来する。）によりその金庫内の現金が外部へ回収されたときは、その回収金額と回収日時のデータがメモリに記憶される（Ｓ１０４肯定、Ｓ１０６）。そして、自動券売機ａから集計機１へのデータ送信時刻が到来（通常、送信時刻の到来は、後述する集計機１の集計時に到来する。）すると、又は、自動券売機ａのメモリ容量が一定量に達した時点で、あるいは、駅係員の任意の集計処理開始信号の入力によりメモリに記憶されているデータが通信回線Ｌを介して集計機１に送信され、その送信後、メモリはクリアされる（Ｓ１０８肯定、Ｓ１１０）。なお、メモリのデータのクリアは、１送信毎にクリアすることなく、例えば５回毎にクリアしてもよく、あるいは、クリアを省略することもできる。
【００１７】
図３（ｂ）は、集計機１の制御動作を示すフローチャートであり、所定のデータ取込時刻が到来すると（Ｓ２００肯定）、又は自動券売機ａのメモリの容量が所定量に達すると、あるいは、駅係員の任意の集計処理開始信号の入力により（図３（ｂ）のフローチャートでは省略。）、自動券売機ａのメモリに記憶されているデータが集計機１のメモリ（ディスクアレイ）Ｍにそのまま取込まれる形で記憶される（Ｓ２０２）。したがって、自動券売機ａで収集された発売データは、口座釦の番号に日付が付加された形で記憶される。このメモリＭの記憶容量は、少なくとも数日間分確保され、後述の集計処理は、古いデータ順から廃棄される。
【００１８】
集計機１では、自動券売機ａから得たデータを基に所定の集計処理が行われ（Ｓ２０４、Ｓ２０６）、その集計結果は、集計機１の表示画面に表示されるとともに必要に応じてプリントアウトされる。この集計処理は、図２に示されるように、運賃改定日をまたいで行われるとき（図２の▲２▼参照）、日付に基づいて集計処理されるので、例えば、同じ口座釦であっても運改前と運改後とに分けて集計され、したがって、運改前と運改後とに集計処理を行うことができる。このため、従来のように、運改が行われるときの終電後の集計作業を必要としない特長がある。
【００１９】
図２において▲１▼は、運改前における所定時間（例えば１日）の集計を示し、▲２▼は運改を挾んだ所定時間（例えば運改前日の午後３時から運改初日の午後３時）の集計を示し、▲３▼は、運改後の所定時間の集計処理を示している。
【００２０】
なお、上述の例では、駅務機器として自動券売機ａの例を示したが、駅務機器が自動精算機ｂの場合は、精算処理の行われたときのデータが日付を付加されて記憶されるので、運改前のテーブルを用いて精算処理を行ったか、又は運改後のテーブル（これらテーブルは、自動精算機に予め記憶されている。）を用いて精算処理したかが容易に分る特長がある。同様に、駅務機器が自動改札機ＧにおいてもＳＦカードから金額を減額処理したときは、その減額処理は日付を付加して記憶されるので、その減額処理が運改前のテーブルを用いて行われたか、又は運改後のテーブル（これらテーブルは、自動改札機に予め記憶されている。）を用いて行われたかが容易に分る特長がある。
【００２１】
また、駅務機器としては、上述以外に自動定期券発売機等であってもよい。
【００２２】
【発明の効果】
本発明の請求項１に記載の集計処理装置は、駅務機器において所定の処理を行ったときのその処理の内容をその処理を行った日付とともにその駅務機器のメモリに記憶させる記憶手段と、前記駅務機器のメモリに記憶された内容を必要に応じて取込み、その取込んだ内容を処理を行った日付を基に集計処理する集計手段とからなるので、運改があっても通常どおりに容易に集計処理を行うことができる。
本発明の請求項２に記載の集計処理装置は、駅務機器は自動券売機であり、処理内容はその自動券売機の口座釦が操作されたときの所定の発券処理であるときも、運改があっても通常どおりに容易に集計処理を行うことができる。
本発明の請求項３に記載の集計処理装置は、駅務機器は自動精算機であり、処理内容はその自動精算機に投入された精算原券を基にした所定の精算処理であるときも、運改があっても通常どおりに容易に集計処理を行うことができる。
本発明の請求項４に記載の集計処理装置は、駅務機器は自動定期券発売機であり、処理内容はその自動定期券発売機からの定期券の所定の発券処理であるときも、運改があっても通常どおりに容易に集計処理を行うことができる。
本発明の請求項５に記載の集計処理装置は、駅務機器は自動改札機であり、処理内容はその自動改札機におけるＳＦカードの所定の減額処理であるときも、運改があっても通常どおりに容易に集計処理を行うことができる。
【図面の簡単な説明】
【図１】本発明の一実施の形態に係る集計装置の概略構成図である。
【図２】メモリのマップである。
【図３】制御動作を示すフローチャートである。
【図４】口座釦の一例である。
【符号の説明】
ａ  自動券売機
ｂ  自動精算機
Ｇ  自動改札機
１  集計機
２  監視盤
【図１】
2005031727.tif 000003
【図２】
2005031727.tif 000004
【図３】
2005031727.tif 000005
【図４】
2005031727.tif 000006